(57)【要約】【課題】電気部品箱の室内機本体への固定が容易で、製造コストを低減でき、安価な空気調和機の室内機を提供する。【解決手段】本空気調和機の室内機１は、筐体状の室内機本体２内に熱交換器８、送風機およびこの熱交換器と室内機本体の側部間に形成される空間に配設された縦方向および奥行き方向に長い形状の電気部品箱１１とを備える空気調和機の室内機において、電気部品箱１１には、上部後方部と側面下方部と前面下方部とに設けた３個の部品箱側係合手段１３、１４、１５を備え、室内機本体側の空間には、部品箱側係合手段に対応する位置に配され各々係合する３個の本体側係合手段１７，１８，１９と、を備え、対応する各係合手段を各々係合することにより、電気部品箱を空間に３箇所で固定する。【選択図】  図２
2009063193.tif 000002
【特許請求の範囲】
【請求項１】
筐体状の室内機本体内に熱交換器、送風機およびこの熱交換器と前記室内機本体の側部間に形成される空間に配設された縦方向および奥行き方向に長い形状の電気部品箱とを備える空気調和機の室内機において、前記電気部品箱には、上部後方部と側面下方部と前面下方部とに設けた３個の部品箱側係合手段を備え、前記室内機本体側の空間には、部品箱側係合手段に対応する位置に配され、部品箱側係合手段に各々係合する３個の本体側係合手段を備え、対応する各係合手段を各々係合することにより、前記電気部品箱を前記空間に固定することを特徴とする空気調和機の室内機。
【発明の詳細な説明】
【技術分野】
【０００１】
本発明は空気調和機の室内機に係り、特に、室内機本体内に配置される電気部品箱の取り付け構造を改良した空気調和機の室内機に関する。
【背景技術】
【０００２】
一般に家庭用に用いられる空気調和機は、室内に据え付ける室内機と、室外に付けられる室外機とからなる。
【０００３】
室内機は室内機本体内に熱交換器、送風機および電気部品箱を備え、さらに、リモコンが付属され、送風機や圧縮機ほかの冷凍サイクル構成部品は、リモコンからの指示信号を受け設定された空調条件を得るよう作用する。
【０００４】
また、電気部品箱には、送風機や冷凍サイクル構成部品を電気的に制御する電気制御部品が全て一括して実装される制御基板が収容される。
【０００５】
図５に示すように、電気部品箱を室内機本体に固定するための固定構造は次のようである。
【０００６】
室内機本体２２内に収容される熱交換器２８と本体側部２３間の空間２４には、この空間後上部に上部引掛爪２５、下部前内側にネジボス２９、下部前中央に取付ネジ３０を設け、上部引掛爪２５に電気部品箱の上部前外側に設けた上部引掛爪係止用突起を係止し、ネジボス２９に電気部品箱の下部後内側に設けたボス部係止用突起片の係合孔を係合し、下部後中央に取付ネジ３０を設け、電気部品箱の下部後中央に設けたネジ孔を用いて螺着し、上部引掛爪２５と取付ネジ３０の２箇所で固定される。
【０００７】
取付ネジ３０は電気部品箱に電気ケーブルを接続際、接続部の挿入作業で電気部品箱ががたつくのを防止するためのもので、取付ネジ３０を用いることは、室内機の組立に時間がかかり、製造コストがかかる。
【０００８】
なお、電気部品箱の室内機本体への固定をネジを用いて行う室内機として、特許文献１に記載のものがある。
【特許文献１】特開２００６−２５０３７６号公報
【発明の開示】
【発明が解決しようとする課題】
【０００９】
本発明は上述した事情を考慮してなされたもので、電気部品箱の室内機本体への固定が容易で、製造コストを低減でき、安価な空気調和機の室内機を提供することを目的とする。
【課題を解決するための手段】
【００１０】
上述した目的を達成するため、本発明に係る空気調和機の室内機は、筐体状の室内機本体内に熱交換器、送風機およびこの熱交換器と前記室内機本体の側部間に形成される空間に配設された縦方向および奥行き方向に長い形状の電気部品箱とを備える空気調和機の室内機において、前記電気部品箱には、上部後方部と側面下方部と前面下方部とに設けた３個の部品箱側係合手段を備え、前記室内機本体側の空間には、部品箱側係合手段に対応する位置に配され、部品箱側係合手段に各々係合する３個の本体側係合手段を備え、対応する各係合手段を各々係合することにより、前記電気部品箱を前記空間に固定することを特徴とする。
【発明の効果】
【００１１】
本発明に係る空気調和機の室内機によれば、電気部品箱の室内機本体への固定が容易で、製造コストを低減でき、安価な空気調和機の室内機を提供することができる。
【発明を実施するための最良の形態】
【００１２】
本発明の一実施形態に係る空気調和機の室内機について図面を参照して説明する。なお、符号を付さない構成部品は図示しない。
【００１３】
図１は本発明の一実施形態に係る空気調和機の室内機の斜視図、図２は本室内機の前面パネルを外した電気部品箱の取り付け状態を示す正面図である。
【００１４】
図１に示すように、本実施形態に係る空気調和機の室内機１は、状の室内機本体２を備え、室内機本体２は前面パネル３と、この前面パネル３が嵌め込まれる後板４とから筐体が構成される。
【００１５】
室内機本体２には、前面側に前部吸込口３ａと、上面側に上部吸込口３ｂおよび前面下面部に吹出口５が設けられ、この下面側一側部にはリモコンから発信される信号を受ける受信部６が、前面中央部には運転状態を表示する表示部７が設けられる。
【００１６】
図２に示すように、後板４に送風機の横流ファン８と熱交換器（図示せず）が取付け配置される。この熱交換器８はフィンドチューブタイプのもので、熱交換パイプをフィンに貫通固着した後、フィンの所定部位を折り曲げて、逆Ｖ字状に形成する。熱交換器８は前部吸込口３ａおよび上部吸込口３ｂに対向して配される。
【００１７】
このような逆Ｖ字状の熱交換器８間には、送風機（図示せず）が配される。この送風機は、ブラシレス直流駆動モータと、この駆動モータの回転軸に嵌着され、軸方向が熱交換器８の幅方向に沿って延出する横流ファンとから構成される。
【００１８】
熱交換器８の下端部には前ドレンパンが配され、さらにこの下方部位である吹出口５と対向する部位には、電動風向案内板９が設けられる。
【００１９】
室内機本体２の本体側面部２ａと熱交換器８と間の空間１０には、電気部品箱１１が組み込まれる。なお、図２に示す電気部品箱１１は、図３に示す電気部品箱１１の前面カバー１１ｄを除去した状態で示す。
【００２０】
図３に示すように、電気部品箱１１は縦方向および奥行き方向に長い略六面体形状をなし、樹脂成型品からなる基板ベース１１ａおよびサブベース１１ｂと、金属板体からなる部品カバー１１ｃとから組立てられる。
【００２１】
基板ベース１１ａは電気部品箱１１の一側部（正面視で右側）を構成しており、電気的な絶縁性を必要とするため合成樹脂材で成型される。室内機本体２の後板４に取付けられた状態で、後板４の側面部と狭小の間隙を存して対向する位置にある。
【００２２】
基板ベース１１ａの側面部１１ａ１は平板状に形成され、この側面部１１ａ１の内面側に電気制御部品を実装する制御基板が取付けられている。
【００２３】
サブベース１１ｂは電気部品箱１１の前面部を構成しており、前面カバー１１ｄを取外すことにより前面側に露出する。サブベース１１ｂには、コネクタ端子他の電気部品が取付けられ、電源からの接続配線、室外機および受信部６、表示部７から延出される電気配線や信号線が接続される。
【００２４】
また、サブベース１１ｂは、電気的な絶縁性を必要とするとともに、前面板１１ｄを取付けるためのねじ孔を備えた複数本のボス部を一体に設けて形状が複雑化するため、合成樹脂材で成型される。
【００２５】
部品カバー１１ｃは、熱交換器８が配置される側の電気部品箱１１の側面部（正面視で左側）を構成しており、冷凍サイクル運転にともない熱交換器８で発生する熱の影響が電気部品箱１１内部に及ぶことのないよう遮熱性を有する金属板体からなる。
【００２６】
このような基板ベース１１ａと、サブベース１１ｂおよび部品カバー１１ｃとを組合せて電気部品箱１１とした状態で、基板ベース１１ａとサブベース１１ｂおよび部品カバー１１ｃの互いの側辺部が密に接して、傾斜面を備えた密閉箱状に形成される。
【００２７】
従って、熱交換器８から飛散し、もしくは上部吸込口３ｂから室内機本体２内部へ浸入する水滴があっても、少なくとも基板ベース１１ａと部品カバー１１ｃの上面部においては上面部に設けたリブの存在によって電気部品箱１１内部への水滴の浸入を確実に阻止する。
【００２８】
また、電気部品箱１１には部品箱側係合手段が設けられる。
【００２９】
この部品箱側係合手段は、基板ベース１１ａ上で、電気部品箱１１の上部後方部に設けた上部引掛爪係止用突起１３と、側面部１１ａ１上で、電気部品箱１１の側面下方部に設けた引掛爪係止用突起部１４と、電気部品箱１１の前面下方部のサブベース１１ｂの左側下部近傍に設けたネジボス係止用突起片１５に穿設されたネジボス係合孔１６との３個からなる。
【００３０】
一方、図２および図４に示すように、室内機本体２の空間１０には、部品箱側係合手段すなわち、上部引掛爪係止用突起１３、引掛爪係止用突起部１４およびネジボス係合孔１６に対応する位置に配される本体側係合手段が設けられる。
【００３１】
この本体側係合手段は、空間１０の後上部に設けられ、後板４から突出する上部引掛爪１７と、空間１０右側に位置し、本体側面部２ａの下部近傍に切り込みを入れてスプリング作用を持たせた帯状部２ａ１の先端内側に設けた断面三角形突条の下部引掛爪１８と、空間１０左側に位置し、後板４から突出するネジボス１９からなる。
【００３２】
次に電気部品箱の室内機本体への取り付けについて説明する。
【００３３】
電気部品箱１１を空間１０に対向させて、電気部品箱１１を空間１０に押し込み、下部引掛爪１８を引掛爪係止用突起部１４に係合させ、ネジボス係止用突起片１５をネジボス１９に係合させ、さらに、上部引掛爪１７を上部引掛爪係止用突起１３に係合させて、電気部品箱１１を室内機本体２に組み込み、固定する。
【００３４】
本体側係合手段のうち、下部側の一方をネジボス１９とネジボス係合孔１６の組み合わせにより形成するので、容易に位置決めができ、また、他方を引掛爪係止用突起部１４と下部引掛爪１８の組み合わせにより形成するので、電気部品箱１１を強固に固定できる。また、スプリング作用を持つ帯状部２ａ１に下部引掛爪１８を設けるので、電気部品箱１１の取り外しが容易になる。
【００３５】
このように、電気部品箱の室内機本体への組み込み、固定は、ネジを一切用いないで係合手段の係合のみで行うので、組み込み、固定が容易で、製造コストを低減でき、安価な空気調和機の室内機を生産できる。
【００３６】
また、３箇所で固定するので、確実な固定が可能であり、電気ケーブルを接続する際に、電気部品箱ががたつくことがない。
【００３７】
本実施形態の空気調和機の室内機によれば、電気部品箱の室内機本体への固定が容易で、製造コストを低減でき、安価な空気調和機の室内機が実現する。
【図面の簡単な説明】
【００３８】
【図１】本発明の一実施形態に係る空気調和機の室内機の斜視図。
【図２】本発明の一実施形態に係る空気調和機の室内機の前面パネルを外した電気部品箱の取り付け状態を示す正面図。
【図３】本発明の一実施形態に係る空気調和機の室内機に用いる電気部品箱の斜視図。
【図４】本発明の一実施形態に係る空気調和機の室内機の電気部品箱の取り付け状態を拡大して示す斜視図。
【図５】従来の空気調和機の室内機の前面パネルを外した電気部品箱の取り付け状態を示す正面図。
【符号の説明】
【００３９】
１…空気調和機の室内機、２…室内機本体、２ａ…本体側面部、２ａ１…帯状部、３…前面パネル、４…後板、８…熱交換器、１０…空間、１１…電気部品箱、１１ａ…基板ベース、１１ａ１…側面部、１１ｂ…サブベース、１１ｃ…部品カバー、１１ｄ…前面カバー、１３…上部引掛爪係止用突起、１４…引掛爪係止用突起部、１５…ネジボス係止用突起片、１６…ネジボス係合孔、１７…上部引掛爪、１８…下部引掛爪、１９…ネジボス。
【図１】
2009063193.tif 000003
【図２】
2009063193.tif 000004
【図３】
2009063193.tif 000005
【図４】
2009063193.tif 000006
【図５】
2009063193.tif 000007